(57)【要約】【課題】アンテナと厚さの異なる複数の電池とを有する電波時計の厚さを薄くする。【解決手段】電波時計１は、外部の電波を受信する受信部６０のアンテナ６２と、例えば２つの電池５１，５２と、を備え、２つの電池５１，５２のうち一方の電池である第２の電池５２は、他の一方の電池である第１の電池５１よりも厚さが薄く形成され、アンテナ６２と第１の電池５１とは平面視で重複しない配置であり、アンテナ６２と第２の電池５２とは、平面視で少なくとも一部が重複した配置である。【選択図】図２
2020016565.tif 000002
【特許請求の範囲】
【請求項１】
外部の電波を受信する受信部のアンテナと、
複数の電池と、を備え、
前記複数の電池のうち少なくとも１つの電池である第２の電池は、他の１つの電池である第１の電池よりも厚さが薄く形成され、
前記アンテナと前記第１の電池とは、平面視で重複しない配置であり、
前記アンテナと前記第２の電池とは、平面視で少なくとも一部が重複した配置である電波時計。
【請求項２】
前記第１の電池と前記第２の電池とは、平面視で重複しない配置である請求項１に記載の電波時計。
【請求項３】
前記第１の電池は、二次電池である請求項１又は２に記載の電波時計。
【請求項４】
前記第２の電池は、前記アンテナが配置された基板と、電波時計の外装ケースの裏蓋との間に配置されている請求項１から３のうちいずれか１項に記載の電波時計。
【請求項５】
前記アンテナは、電波時計の厚さ方向において、前記第１の電池と少なくとも一部が重なる請求項１から４のうちいずれか１項に記載の電波時計。
【請求項６】
前記アンテナが配置される基板はＧＮＤ層を有し、前記第２の電池と前記ＧＮＤ層とは少なくとも一部同士が平面視で重なる配置となっている請求項１から５のうちいずれか１項に記載の電波時計。
【請求項７】
前記第２の電池は、平面視での外形が、前記第１の電池の外形より小さい請求項１から６のうちいずれか１項に記載の電波時計。
【請求項８】
前記第２の電池は、その容量が、前記第１の電池の容量よりも小さい請求項１から７のうちいずれか１項に記載の電波時計。
【請求項９】
前記第１の電池の負側と前記第２の電池の負側とは、同一の導電性部材に接続されている請求項１から８のうちいずれか１項に記載の電波時計。
【請求項１０】
前記第２の電池は、シート状の電池である請求項１から９のうちいずれか１項に記載の電波時計。
【請求項１１】
前記第２の電池は、前記アンテナの電界放射の方向に直交する幅方向に関して、対称となるように配置されている請求項１から１０のうちいずれか１項に記載の電波時計。
【請求項１２】
前記第１の電池と前記第２の電池とは、独立して配置されている請求項１から１１のうちいずれか１項に記載の電波時計。
【請求項１３】
前記第２の電池は、その重心が、電波時計の１２時の位置と６時の位置とを結んだ直線上に位置するように配置されている請求項１から１２のうちいずれか１項に記載の電波時計。
【請求項１４】
前記第２の電池は、前記受信部での発熱を放熱するように、前記受信部に近接して配置されている請求項１から１３のうちいずれか１項に記載の電波時計。
【発明の詳細な説明】
【技術分野】
【０００１】
本発明は、電波時計に関する。
【背景技術】
【０００２】
外部の電波を受信し、受信した電波が有する情報に基づいて、現在の時刻を精度よく検出し、検出された時刻に基づいて、表示する時刻を精度よく修正する電波時計が知られている。
【０００３】
電波時計は、地上に設置された送信局から発せられた標準電波（主に長波）を受信するものや、地球を周回する複数の人工衛星から発せられた電波（主にマイクロ波）を受信するものなどがある。また、時刻情報以外の電波（電近距離無線通信規格の一つであるBluetooth（ブルートゥース；登録商標）の電波、無線ＬＡＮの電波等）を受信して各種の情報を提供する時計も、電波時計の一種である。
【０００４】
このような電波時計は、上述した各種の電波を受信するためにアンテナを備えている。また、電波時計は、アンテナで受信した電波を処理するための電気回路を動作させるために、電源としての電池を備えている（例えば、特許文献１参照）。
【先行技術文献】
【特許文献】
【０００５】
【特許文献１】特開２００８−２４１３９６号公報
【発明の概要】
【発明が解決しようとする課題】
【０００６】
ここで、特許文献１に記載の時計は、アンテナを、電池とは平面的に（平面視で）重ならないように配置されている。
【０００７】
しかし、電波時計の内部はスペースが少なく、各構成部品の配置の自由度は低い。したがって、アンテナと電池とが平面視で重ならない配置を選択することができない場合も生じ得る。特に、複数の電池を備えた電波時計においては、アンテナと全ての電池とが平面視で重ならない配置を選択するのは困難である。
【０００８】
本発明は上記事情に鑑みなされたものであり、アンテナと厚さの異なる複数の電池とを有し、厚さを薄くすることができる電波時計を提供することを目的とする。
【課題を解決するための手段】
【０００９】
本発明は、外部の電波を受信する受信部のアンテナと、複数の電池と、を備え、前記複数の電池のうち少なくとも１つの電池である第２の電池は、他の１つの電池である第１の電池よりも厚さが薄く形成され、前記アンテナと前記第１の電池とは、平面視で重複しない配置であり、前記アンテナと前記第２の電池とは、平面視で少なくとも一部が重複した配置である電波時計である。
【発明の効果】
【００１０】
本発明に係る電波時計によれば、アンテナと厚さの異なる複数の電池とを有しつつ、時計の厚さを薄くすることができる。
【図面の簡単な説明】
【００１１】
【図１】本発明に係る電波時計の一実施形態である腕時計としての電波時計の平面図である。
【図２】図１に示した電波時計のＡ−Ａ線に沿った面による断面図である。
【図３】電波時計における第２の電池の、導通と非導通との切り替えを説明するブロック図である。
【図４】第１の電池を大きな電気エネルギの供給源として用い、第１の電池よりも厚さの薄い第２の電池を小さな電気エネルギの供給源として用いるように、駆動制御回路が、第１の電池と第２の電池との導通を択一的に切り替える変形例を示すブロック図である。
【図５】第１の電池を常時接続し、第２の電池を必要に応じて付加的に接続するように、駆動制御回路が、第２の電池の導通・非導通を切り替える変形例を示すブロック図である。
【図６】第１の電池と第２の電池の一部とが平面視で重複した配置となるように、第１の電池と第２の電池の一部とが厚さ方向に積層された実施形態の電波時計を示す、図１相当の断面図である。
【発明を実施するための形態】
【００１２】
以下、本発明に係る電波時計の具体的な実施形態について、図面を用いて説明する。
【００１３】
図１は本発明に係る電波時計の一実施形態である腕時計としての電波時計１を示す平面図、図２は図１に示した電波時計１のＡ−Ａ線に沿った面による断面図である。
【００１４】
＜構成＞
図示の電波時計１は、図示を略したバンドを用いて人体の手首に装着される腕時計である。電波時計１は、図１に示すように、軸３９回りに回転する時針２２、分針２３及び秒針２４が、文字板２１の外周部に設けられた時字（バーインデックス）２１ａを指し示すことで時刻を表示する、いわゆるアナログ時計である。
【００１５】
電波時計１は、図１，２に示すように、外装ケース１０と、時刻表示部２０と、時計ムーブメント３０と、ソーラセル４０と、２つの電池５１，５２と、受信部６０と、を備えている。受信部６０は、アンテナ６２と受信回路６３とを含んでいる。
【００１６】
外装ケース１０は、ベゼル１１と、胴１２と、裏蓋１３と、風防ガラス１４と、を備えている。ベゼル１１、胴１２及び裏蓋１３は、例えばステンレス鋼等の金属材料（導電性材料）で形成されている。なお、これらベゼル１１、胴１２及び裏蓋１３は、金属材料以外の材料、例えばセラミックスやガラス、樹脂などの非導電性材料によって形成されていてもよい。
【００１７】
ベゼル１１と胴１２とは、電波時計１の厚さ方向ｔに重ねられて短円筒状の外周部分を形成している。裏蓋１３は、上記の外周部分が形作る短円筒の一方の端部（図２においては胴１２の下端面）を閉じている。
【００１８】
外装ケース１０の他方の端部（図２においてはベゼル１１の上端面）には風防ガラス１４が配置されている。風防ガラス１４は、ベゼル１１の内周面に、シール部材を介しては嵌められて、この他方の端部を閉じている。これにより、外装ケース１０の内側には、短円柱状の閉じた空間が形成されている。時計ムーブメント３０、時刻表示部２０、ソーラセル４０、電池５１，５２及び受信部６０は、外装ケース１０の内側に形成された上記の短円柱状の空間に収容されている。
【００１９】
時刻表示部２０は、短円柱状の空間のうち風防ガラス１４に近い側に配置されている。時刻表示部２０は、文字板２１と、時針２２、分針２３及び秒針２４という指針と、見返しリング２５と、を備えている。文字板２１は、おもて面（風防ガラス１４を向いた面）の外周部に、全周に亘って等角度間隔で、時字（バーインデックス）２１ａや目盛りが形成されている。文字板２１は光透過性を有している。また、文字板２１の３時の位置には、日車３５に表示された日付を表す複数の数字のうち１つを露出させる開口である日窓２１ｂが形成されている。
【００２０】
時針２２、分針２３及び秒針２４は、文字板２１の中心に開けられた孔を、時計の厚さ方向ｔに貫通した軸３９回りに回転する。なお、図２においては、時針２２、分針２３及び秒針２４が、単一の軸３９に固定されているように記載されているが、これは、図示や以下の説明を簡単化するためであり、実際には、時針２２が固定された軸と、分針２３が固定された軸と、秒針２４が固定された軸とは別々に設けられている。
【００２１】
そして、時計ムーブメント３０によって軸３９が回転して各指針２２，２３，２４が、時字２１ａや目盛りを指し示すことにより時刻を表示する。したがって、電波時計１は、いわゆるアナログ時計である。なお、本発明に係る電波時計は、アナログ時計でなくてもよい。
【００２２】
時刻表示部２０は、文字板２１のおもて面側に、文字板２１の外周縁と外装ケース１０のベゼル１１の内周面とを覆った見返しリング２５を備えている。見返しリング２５は、文字板２１の周縁部を押えて、文字板２１を所定の位置で保持する部材である。見返しリング２５は、軸３９を中心とした略円環形状に形成され、時刻表示部２０を装飾する機能も発揮する。
【００２３】
時計ムーブメント３０は、短円柱状の空間のうち裏蓋１３に近い側に配置されている。時計ムーブメント３０は、ステップモータ３１、歯車輪列３２、時刻表示部２０を駆動するための駆動制御回路３３と、耐磁板３４と、日車３５と、を備えている。
【００２４】
ステップモータ３１は、駆動制御回路３３の制御により、後述する第１の電池５１から電気エネルギの供給を受けて回転駆動する。歯車輪列３２は、ステップモータ３１が発生した回転駆動力を受けて、段階的に増減速しながら軸３９を回転させることで、各指針２２，２３，２４を回転させる。
【００２５】
また、歯車輪列３２は、円環状に形成された日車３５を回転させる。日車３５は、その円環の円周方向に沿って、日付に対応した３１個の数字が等角度間隔で表示されている。そして、歯車輪列３２が、日車３５を回転させることにより、文字板２１に形成された窓（図示省略）から、日車３５に表示されたいずれか１つの数字を露出させ、その露出した数字を、風防ガラス１４側から見た電波時計１の使用者に視認させることで、数字に対応した日付を使用者に認識させることができる。
【００２６】
なお、電波時計１は、日車３５に代えて、曜日を示す曜車、機能を示す機能車、又は時刻表示部２０が時刻を表示している地域帯を表す都市名を示す都市名車等の表示車を適用することもできる。また、電波時計１は、複数の表示車を備えていてもよいし、表示車を１つも備えないものでもよい。
【００２７】
耐磁板３４は、電波時計１の外部の磁界が、ステップモータ３１に影響を及ぼすのを防止するために、ステップモータ３１の、主にロータの部分を文字板２１の側から覆うように設けられている。
【００２８】
ソーラセル４０は、文字板２１の背面（裏蓋１３を向いた面）側において、文字板２１と日車３５との間に配置されている。ソーラセル４０は、風防ガラス１４の側から文字板２１に照射され、文字板２１を透過した太陽光等の光を受光して発電する。ソーラセル４０が発電することで発生した電気エネルギは、電池５１，５２に蓄えられる。したがって、電波時計１は、いわゆる太陽電池時計である。なお、本発明に係る電波時計は、太陽電池時計でなくてもよい。
【００２９】
２つの電池５１，５２は、外装ケース１０の短円柱状の空間のうち最も裏蓋１３に近い位置に配置されている。これにより、裏蓋１３を取り外しての、電池５１，５２の交換作業を容易にしている。
【００３０】
２つの電池５１，５２は、図１に示すように、平面視で互いに全く重ならないように配置されている。つまり、２つの電池５１，５２のうち第１の電池５１は、図１に示す６時の位置に配置され、第２の電池５２は、図１に示す１２時の位置に、第１の電池５１とは離れて配置されている。なお、２つの電池５１，５２の位置は、上述した６時の位置と１２時の位置とに限定されるものではなく、平面視で互いに重ならない位置であればどの位置に配置されていてもよい。
【００３１】
なお、第１の電池５１は導電性材料の板ばね５１ａにより、また第２の電池５２は導電性材料の板ばね５２ａにより、それぞれ、金属材料で形成された裏蓋１３と電気的に接続されているとともに、第１の電池５１は板ばね５１ａの弾性力により時計ムーブメント３０の側に押圧され、第２の電池５２は板ばね５２ａの弾性力により受信部６０の側に押圧されている。
【００３２】
第１の電池５１は、第２の電池５２よりも、平面視でサイズが大きく形成されている。また、第２の電池５２は第１の電池５１よりも、図２に示す、電波時計１の厚さ方向ｔにおける厚さ（断面視での寸法）が薄く形成されている。さらに２つの電池５１，５２は、図２の断面視において、厚さ方向ｔの少なくとも一部が同じ位置に配置（厚さ方向ｔの少なくとも一部が重なって配置）されている。
【００３３】
２つの電池５１，５２はいずれも、前述したようにソーラセル４０で発電した電気エネルギを蓄電する二次電池であるが、第１の電池５１又は第２の電池５２は二次電池でない、一次電池であってもよい。また、電波時計１がソーラセル４０を有しないものである場合は、２つの電池５１，５２がいずれも二次電池でなくてもよく、２つの電池５１，５２はいすれも一次電池であってもよい。
【００３４】
本実施形態の電波時計１における第１の電池５１及び第２の電池５２は、いずれも短円柱状の、いわゆるボタン型の電池であるが、各電池５１，５２は、この形状に限定されるものではない。電池５１，５２は、例えば、シート状の電池であってもよい。シート状の電池としては、全固体（リチウムイオン）電池、ポリマー電池などであってもよい。
【００３５】
特に、第２の電池５２は、第１の電池５１に比べて厚さが薄いため、シート状の電池を適用するのが好ましい。この場合、第１の電池５１を通常のボタン型の電池とし、第２の電池５２をシート状の電池とすればよい。
【００３６】
ここで、第１の電池５１と第２の電池５２との用途について例示する。図３は、電波時計１における第２の電池５２の、導通と非導通との切り替えを説明するブロック図である。本実施形態の電波時計１は、図３に示すように、第１の電池５１を、例えば、主に時計ムーブメント３０の駆動用に用いる。つまり、第１の電池５１は、駆動制御回路３３と常に導通状態であり、駆動制御回路３３は、第１の電池５１に蓄えられている電気エネルギを用いて、駆動系（ステップモータ３１やそれに連なる歯車輪列３２等）を駆動する。したがって、第１の電池５１は、比較的大きな電気エネルギを出力する仕様となっている。
【００３７】
本実施形態の電波時計１は、一方、第２の電池５２を、例えば、主に後述する受信回路６３による、電波の受信の動作のみに用いられる。つまり、電波時計１は、受信回路６３（受信部６０）が受信動作を行うときにのみ、駆動制御回路３３が、第２の電池５２と受信回路６３とを導通させるように切り替えて、受信回路６３は、第２の電池５２の電気エネルギを受信動作に用いる。
【００３８】
一方、電波時計１は、受信回路６３（受信部６０）が受信動作を行っていないときは、駆動制御回路３３が、第２の電池５２と受信回路６３とを非導通に切り替えて、第２の電池５２に蓄えられている電気エネルギの消費を抑制する。
【００３９】
したがって、第２の電池５２は、第１の電池５１に比べて小さな電気エネルギを出力する仕様となっている。この仕様の違いにより、第２の電池５２は、第１の電池５１に比べて、平面視でのサイズが小さく、また断面視での厚さが薄く形成されている。
【００４０】
前述した時計ムーブメント３０のうち、ステップモータ３１や歯車輪列３２、駆動制御回路３３などの主要部は、厚さ方向ｔにおいて、第１の電池５１と文字板２１との間に配置されている。第１の電池５１は、主に、時計ムーブメント３０の駆動用に用いられるため、このように、時計ムーブメント３０の主要部に近接した配置となっている。
【００４１】
受信部６０は、電波時計１の外部で出射された電波を受信して、その電波が担持した情報に基づいて得られた情報を、時計ムーブメント３０の駆動制御回路３３に出力する。例えば、受信部６０は、受信した電波に基づいて現在の正確な時刻情報を取得し、その取得した時刻情報を駆動制御回路３３に出力し、駆動制御回路３３は入力された時刻情報に基づいて、時刻表示部２０が表示する時刻を正すように、ステップモータ３１等の駆動を制御する。
【００４２】
受信部６０は、厚さ方向ｔにおいて、文字板２１の下方（裏蓋１３に近い側）に配置されている。第２の電池５２は、主に、受信部６０による電波の受信の動作のために電気エネルギを供給するため、このように、受信部６０に近接した配置となっている。
【００４３】
受信部６０は、平面視で矩形状に形成されている。受信部６０は、基板６１と、アンテナ６２と、受信回路６３と、を備えている。基板６１は平板状に形成され、文字板２１と略平行に配置されている。アンテナ６２は、基板６１の、文字板２１に向いた面側に配置されていて、基板６１及びアンテナ６２は厚さ方向ｔにおいて、第２の電池５２と文字板２１との間に配置されている。
【００４４】
なお、図２に示した例は、駆動制御回路３３が設けられた基板とアンテナ６２が設けられた基板６１とが別体の基板であるが、単一の基板に駆動制御回路３３及びアンテナ６２等が設けられてもよい。
【００４５】
そして、アンテナ６２は、図１の平面視に示すように、風防ガラス１４側から見た平面視で、少なくとも一部が第２の電池５２と重複した配置となり、第１の電池５１とは全く重複しない配置となっている。
【００４６】
アンテナ６２は外部の電波を受信する。アンテナ６２は、例えば、地球の大気圏外の人工衛星から発せられた電波（主にマイクロ波）を受信する平面アンテナである。この平面アンテナは、上空の人工衛星からの電波の受信に適するように、風防ガラス１４の方向への指向性を有している。したがって、アンテナ６２の下方（裏蓋１３の側）に配置された第２の電池５２への指向性は低く抑えられている。この結果、アンテナ６２に近接して、導電性部材である第２の電池５２が配置されていても、アンテナ６２は、人工衛星からの電波を受信する感度が低下するのを抑制することができる。
【００４７】
なお、アンテナ６２は、例えば平面アンテナの一種であるパッチアンテナであるが、平面アンテナの他の種類のアンテナ（例えば、マイクロストリップアンテナ、スロットアンテナ、逆Ｆ型アンテナ、チップアンテナ）であってもよい。
【００４８】
また、アンテナ６２は、人工衛星から発せられた電波を受信する平面アンテナに限定されず、長波等を受信するバーアンテナやコイルアンテナであってもよい。また、アンテナは、マイクロ波を受信するものや長波を受信するものに限定されず、中波や短波、ミリ波等を受信するものであってもよい。
【００４９】
また、アンテナが受信する電波としては、時刻情報を取得することができる内容を含んだ電波に限定されず、ブルートゥース（登録商標）や無線ＬＡＮ等の、必ずしも時刻情報を含まない、一般的な情報を含んだ電波であってもよい。
【００５０】
受信回路６３は、基板６１の、裏蓋１３に向いた面側において、平面視で第２の電池５２と重ならない位置に配置されている。受信回路６３は、アンテナ６２で受信した電波を処理して、電波が担持した情報を抽出し、その抽出して得られた情報を、時計ムーブメント３０の駆動制御回路３３に出力する。
【００５１】
＜作用、効果＞
以上のように構成された電波時計１は、ソーラセル４０が、風防ガラス１４及び文字板２１を透過した光を受光し、その受光した光のエネルギを電気エネルギに変換し、得られた電気エネルギを電池５１，５２に蓄える。
【００５２】
時計ムーブメント３０は、第１の電池５１に蓄えられている電気エネルギの供給を受けて、駆動制御回路３３やステップモータ３１等を駆動し、歯車輪列３２を介して軸３９に固定された時針２２、分針２３及び秒針２４と日車３５を回転させ、これにより、電波時計１は時刻や日付を表示する。
【００５３】
また、予め設定された特定の時刻が到来したときや、電波時計１の使用者によるリューズ３６やプッシュボタン３７ａ，３７ｂ等への人為的な操作があったとき、駆動制御回路３３からの指令により、第２の電池５２から受信部６０に電気エネルギが供給される。
【００５４】
アンテナ６２は、外部（人工衛星等）で発せられた電波を受信する。受信回路６３は、アンテナ６２が受信した電波を処理して、電波に含まれる情報を抽出し、その抽出して得られた情報に基づいて時刻情報を取得する。
【００５５】
受信回路６３は、取得した時刻情報を時計ムーブメント３０の駆動制御回路３３に出力する。受信回路６３が駆動制御回路３３に時刻情報を出力した後は、駆動制御回路３３の制御により、第２の電池５２から受信部６０への電気エネルギの供給は停止される。
【００５６】
駆動制御回路３３は、受信回路６３から入力された時刻情報に基づいて、時刻表示部２０が表示する時刻を正すように、ステップモータ３１等の駆動を制御する。
【００５７】
本実施形態の電波時計１は、上述したように動作するが、アンテナ６２は、平面視で、第２の電池５２よりも厚さの厚い第１の電池５１とは重複せず、第１の電池５１よりも厚さの薄い第２の電池５２と少なくとも一部が重複して配置されている。したがって、電波時計１は、アンテナ６２が、第１の電池５１と平面視で重複する配置とされた、本発明が適用されない電波時計と比べて、電波時計１の厚さを薄くすることができる。特に、アンテナ６２を、平面視で、いずれの電池５１，５２にも重複しない配置とするスペースを確保することができない電波時計においては、有用性が高い。
【００５８】
本実施形態の電波時計１は、受信部６０による電波の受信動作のときにのみ、第２の電池５２からの電気エネルギの供給を行うため、第２の電池５２が蓄電することのできる電気エネルギの容量を、時刻表示の動作中は常に電気エネルギを供給する第１の電池５１に比べて小さくすることができる。これにより、第２の電池５２を第１の電池５１よりも厚さを薄くすることができる。
【００５９】
なお、上述した電波時計１は、第１の電池５１を時計ムーブメント３０の駆動用に用い、第２の電池５２を電波の受信動作用に用いる、という２つの電池５１，５２を機能別に使い分けた態様であるが、２つの電池５１，５２の使い分けを上述した実施形態とは異なるものとしてもよい。
【００６０】
図４は、第１の電池５１を大きな電気エネルギの供給源として用い、第１の電池５１よりも厚さの薄い第２の電池５２を小さな電気エネルギの供給源として用いるように、駆動制御回路３３が、第１の電池５１と第２の電池５２との導通を択一的に切り替える変形例を示すブロック図である。
【００６１】
図４に示した変形例の電波時計１は、受信部６０が電波を受信する受信動作を行っていない定常状態（時刻表示のみを行っている状態）では、駆動制御回路３３と第２の電池５２とを導通させて、第１の電池５１との導通を遮断するように、駆動制御回路３３が各電池５１，５２との導通・非導通を択一的に切り替える。そして、受信部６０が受信動作を行うときは、定常状態で必要とされている電気エネルギよりも、受信動作に要する電気エネルギを増加させる必要がある。
【００６２】
そこで、受信部６０が受信動作を行うときは、駆動制御回路３３が、駆動制御回路３３及び受信回路６３と、第２の電池５２よりも容量の大きい第１の電池５１とを導通させて、容量の小さい第２の電池５２との導通を遮断するように、各電池５１，５２との導通・非導通を切り替える。これにより、電波時計１は、受信部６０が受信動作を行うとき、定常状態よりも大きな電気エネルギの供給を受けることができ、受信動作を行わないときは、受信動作時よりも小さな電気エネルギの供給とすることで電気エネルギの消費を抑えることができる。
【００６３】
また、リューズ３６やプッシュボタン３７ａ，３７ｂに対する使用者の操作によって、駆動制御回路３３が、第１の電池５１と第２の電池５２とを択一的に切り替えるように構成したものでは、例えば一方の電池５１（又は電池５２）を交換する際に、駆動制御回路３３に接続される電池を、交換対象でない他方の電池５２（又は電池５１）に切り替えることで、時刻表示の動作を停止させずに、電池５１（又は電池５２）の交換作業を行うことができる。
【００６４】
図５は、第１の電池５１を常時接続し、第２の電池５２を必要に応じて付加的に接続するように、駆動制御回路３３が、第２の電池５２の導通・非導通を切り替える変形例を示すブロック図である。
【００６５】
図５に示した変形例の電波時計１は、受信部６０が電波を受信する受信動作を行っていない定常状態（時刻表示のみを行っている状態）では、駆動制御回路３３と第１の電池５１とを導通させて、第２の電池５２との導通を遮断するように、駆動制御回路３３が各電池５１，５２との導通・非導通を切り替える。そして、受信部６０が受信動作を行うときは、定常状態で必要とされている電気エネルギよりも、受信動作に要する電気エネルギを増加させる必要がある。
【００６６】
そこで、受信部６０が受信動作を行うときは、駆動制御回路３３が、駆動制御回路３３及び受信回路６３と、第１の電池５１と第２の電池５２とを直列に接続したものとを導通させるように、各電池５１，５２との導通・非導通を切り替える。これにより、電波時計１は、受信部６０が受信動作を行うとき、定常状態よりも大きな電気エネルギの供給を受けることができ、定常状態では、受信動作時よりも小さな電気エネルギの供給とすることで電気エネルギの消費を抑えることができる。
【００６７】
なお、図５に示した変形例は、第１の電池５１と第２の電池５２とを直列に接続することにより、印加する電圧を増大させることができるため、電波時計１は電圧の大きさを変化させた動作を行うことができる。
【００６８】
本実施形態の電波時計１は、２つの電池５１，５２を有するものであるが、本発明に係る電波時計は、電池が２つのものに限定されない。すなわち、本発明に係る電波時計は、第１の電池と、第１の電池よりも厚さの薄い第２の電池とを有するものであればよく、第１の電池と第２の電池の他に、別の電池を１つ以上備えたものであってもよい。したがって、３つ以上の電池を備えた電波時計も、本発明に係る電波時計となりうる。
【００６９】
本実施形態の電波時計１は、第１の電池５１が、時刻表示のための、時計ムーブメント３０を駆動するための電気エネルギを蓄えた主たる電源であり、かつ二次電池である。そして、電波時計１は、第２の電池５２を備えているため、駆動制御回路３３が、第１の電池５１に加えて第２の電池５２に蓄えられている電気エネルギを合わせて使用し、又は切り替えて使用する（図５）ことで、第１の電池５１の蓄えている電気エネルギが少なくなった場合でも、時計ムーブメント３０の駆動を継続することができる。
【００７０】
本実施形態の電波時計１は、図２に示すように、アンテナ６２が配置された基板６１が第２の電池５２に対して、裏蓋１３とは反対側に配置されている。すなわち、電波時計１は、第２の電池５２が、基板６１と裏蓋１３との間に配置されている。したがって、電波時計１は、裏蓋１３を取り外しての第２の電池５２の交換作業の際に、アンテナ６２や基板６１を含む受信部６０を移動させたり取り外したりする必要が無い。よって、第２の電池５２の交換作業を、第１の電池５１の交換作業よりも手間のかかる作業になるのを防ぐことができる。
【００７１】
本実施形態の電波時計１は、図２に示すように、アンテナ６２が、電波時計１の厚さ方向ｔにおいて、第１の電池５１と少なくとも一部が重複する配置となっている。したがって、アンテナ６２が、厚さ方向ｔにおいて、第１の電池５１と一部においても重複しない配置のものに比べて、電波時計１の厚さを薄くすることができる。
【００７２】
本実施形態の電波時計１は、図２に示すように、アンテナ６２が配置される基板６１はＧＮＤ（グランド）層６１ａを有し、第２の電池５２とＧＮＤ層６１ａとは平面視において少なくとも一部同士が重なる配置となっている。これにより、電波時計１は、アンテナ６２に対するＧＮＤ電位が安定するため、受信特性を向上することができる。
【００７３】
本実施形態の電波時計１は、図１に示すように、第２の電池５２の平面視での外形が第１の電池５１の外形より小さく形成されている。これにより、電波時計１は、第２の電池５２をアンテナ６２と少なくとも一部に重なるように配置しているため、アンテナ６２の受信感度の低下を抑制するうえで第２の電池５２を第１の電池５１よりも小さく形成しておくことが好ましい。そして、電波時計１は、平面視でのアンテナ６２の外形よりも第２の電池５２を小さく形成しておくことにより、アンテナ６２の受信感度の低下をさらに抑制することができる。
【００７４】
本実施形態の電波時計１は、第２の電池５２の容量が第１の電池５１の容量よりも小さく形成されている。これにより、電波時計１は、第２の電池５２の厚さを、第１の電池５１の厚さよりも薄く形成することができる。
【００７５】
本実施形態の電波時計１は、図１に示すように、第２の電池５２が、アンテナ６２の電界放射の方向（アンテナ６２の、６時の位置と１２時の位置とを結んだ方向に平行な辺縁６２ａ，６２ｂの延びた方向）に直交する幅方向に関して対称となるように、両辺縁６２ａ，６２ｂからの寸法Ｌ１、Ｌ１が同じに配置されている。これにより、電波時計１は、受信特性を安定にすることができる。
【００７６】
つまり、アンテナ６２は前述したように平面アンテナであるが、平面アンテナに形成されるアンテナ電極が受信に寄与する部分は、専ら電極の周縁（周辺）部である。そして、アンテナ６２が図１に示した配置である場合、受信感度に寄与するのは、６時の位置と１２時の位置とを結んだ方向に平行な辺縁６２ａ，６２ｂである。そして、この平行な２つの辺縁６２ａ，６２ｂに対して、受信特性に影響を与える金属部材である第２の電池５２を対称に配置することによって、受信特性を安定化することができる。
【００７７】
本実施形態の電波時計１は、外装ケースの内側の短円柱状の空間において、第１の電池５１と第２の電池５２とが独立して配置されている。このため、裏蓋１３を取り外しての電池交換作業において、２つの電池５１，５２を別々に交換することができる。
【００７８】
本実施形態の電波時計１は、図１に示すように、第２の電池５２の重心が、電波時計１の１２時の位置と６時の位置とを結んだ直線Ｃ上に位置するように配置されている。電波時計１は、一般的な腕時計と同様に、例えば３時の位置に対応するケースの部分に時刻修正や都市情報などを設定するための操作用のリューズが配置されている。
【００７９】
この場合、リューズおよびリューズに連結している軸体等が、ケースの内部及びムーブメントが配置されている領域に存在しているため、図１では、第２の電池５２及びアンテナ６２を１２時の位置に、第１の電池５１を６時位置に配置したが、例えば、アンテナ６２、第１の電池５１及び第２の電池５２を、１２時の位置、６時の位置及び９時の位置にそれぞれ配置させてもよい。このように配置することで、アンテナ６２、第１の電池５１及び第２の電池５２がリューズと干渉するのを防止して、ケースの内部の空間を効率的に使用することができる。
【００８０】
さらに、電波時計１は、相対的に金属量の多い第１の電池５１をアンテナ６２から遠ざけた配置とすることにより、アンテナ６２による電波の受信感度が低下するのを抑制することができる。したがって、例えば、第２の電池５２及びアンテナ６２を１２時の位置、第１の電池５１を６時の位置に配置しておくことが好ましい。なお、第１の電池５１を１２時の位置、第２の電池５２及びアンテナ６２を６時の位置というように、上記とは逆の配置を採用することもできる。
【００８１】
本実施形態の電波時計１は、図２に示すように、第２の電池５２は、受信部６０の受信回路６３での発熱を放熱するように、受信回路６３に近接して配置されている。これにより、電波時計１は、受信部６０の受信回路６３で発生した熱を、近接して配置されている第２の電池５２に放熱することができ、受信部６０の発熱による温度上昇を抑制することができる。
【００８２】
本実施形態の電波時計１は、図２に示すように、第１の電池５１の負（ＧＮＤ）側が、導電性材料の板ばね５１ａにより導電性部材である裏蓋１３に接続され、第２の電池５２の負（ＧＮＤ）側も、導電性材料の板ばね５２ａにより裏蓋１３に接続されている。すなわち、電波時計１は、第１の電池５１にＧＮＤ側と第２の電池５２のＧＮＤ側とが、同一の導電性部材に接続されている。これにより、電波時計１は、簡易な構成で２つの電池５１，５２のＧＮＤ電位を揃えることができる。
【００８３】
ここで、電波時計１は、板ばね５１ａ，５２ａを裏蓋１３ではなく、導電性部材である胴１２にそれぞれ接続するように構成してもよい。
【００８４】
なお、電波時計１は、図５に示すように、第１の電池５１と第２の電池５２とを直列に接続する場合、第１の電池５１の負（ＧＮＤ）側のみを裏蓋１３に接続し、第２の電池５２の一方を第１の電池５１の正側に接続すればよい。
【００８５】
図１に示した電波時計１は、第１の電池５１と第２の電池５２とが、平面視で重複しない配置であるが、本発明に係る電波時計は、少なくとも２つの電池の少なくとも一部同士が平面視で重複した配置であってもよい。
【００８６】
図６は、第１の電池５１と第２の電池５２の一部とが平面視で重複した配置となるように、第１の電池５１と第２の電池５２の一部とが厚さ方向ｔに積層された実施形態の電波時計１を示す、図１相当の断面図である。
【００８７】
図１に示した電波時計１において、第２の電池５２として全固体二次電池などの厚さの薄い電池を適用したものでは、図６に示すように、第２の電池５２を、厚さ方向ｔにおいて第１の電池５１と裏蓋１３との間に配置してもよい。この場合、第１の電池５１と第２の電池５２の一部とが平面視で重複した配置となるように、第１の電池５１と第２の電池５２の一部とが厚さ方向ｔに積層された配置となる。
【００８８】
このように、第１の電池５１と第２の電池５２の一部とが平面視で重複する配置の電波時計１によっても、図１の電波時計１と同様の効果を発揮することができる。なお、アンテナ６２は、第２の電池５２のうち、第１の電池５１と重複しない範囲に重複させた配置とする。
【００８９】
また、図６に示した電波時計１は、第１の電池５１と第２の電池５２とが接触して両者が電気的に導通するのを防止するために、第１の電池５１と第２の電池５２との、厚さ方向ｔの間に、絶縁層７０を配置するのが好ましい。
【００９０】
また、図６に示した電波時計１において、受信回路６３の配置場所については特段の制約はないが、アンテナ６２の近傍に配置するのが好ましいため、受信回路６３は、基板６１の、アンテナ６２が配置された面と同一の面に配置されていることが好ましい。
【００９１】
また、第１の電池５１を板ばね５１ａ等により裏蓋１３に接地する場合は、厚さ方向ｔに延びた板ばね５１ａを通過させるための開口や切欠きを、第２の電池５２に設けるか、又は板ばね５１ａを、第２の電池５２が重複しない部分に設ければよい。
【００９２】
本発明に係る電波時計が３つ以上の電池を有するものである場合、アンテナは、３つ以上の電池のうち厚さが最も薄いものに平面視で重複したものであることが好ましいが、アンテナが、厚さが最も厚い第１の電池に平面視で重複したものでなければよい。したがって、本発明に係る電波時計は、３つ以上の電池を有するものである場合、アンテナが、厚さが最も薄いものに平面視で重複するものや、厚さが２番目以下のものに平面視で重複するものも含む。
【符号の説明】
【００９３】
１      電波時計
５１    第１の電池
５２    第２の電池
６０    受信部
６２    アンテナ
６３    受信回路
ｔ      厚さ方向
【図１】
2020016565.tif 000003
【図２】
2020016565.tif 000004
【図３】
2020016565.tif 000005
【図４】
2020016565.tif 000006
【図５】
2020016565.tif 000007
【図６】
2020016565.tif 000008